(57)【要約】【課題】簡単な機構で、原稿の両面を読み取ることができる画像読取装置を提供する。【解決手段】原稿供給トレイ２１と、原稿をその表裏を反転させながら順方向及び逆方向に搬送可能な第１反転搬送路３２と、第１反転搬送路３２を搬送される原稿の画像を読み取る読取部Ｐ１と、第１反転搬送路３２を出た原稿をその表裏を反転させながら搬送して再度第１反転搬送路３２へ戻す第２反転搬送路３５と、原稿排出トレイ２３とを備え、原稿を原稿供給トレイ２１から第１反転搬送路３２へ導入し、第１反転搬送路３２を順方向に搬送する際に読取部Ｐ１で該原稿の表面を読み取り、第１反転搬送路３２を順方向に出た原稿を第２反転搬送路３５で第１反転搬送路３２へ戻し、第１反転搬送路３２を逆方向に搬送する際に読取部Ｐ１で該原稿の裏面を読み取り、原稿排出トレイ２３へ排出するように構成した画像読取装置５０である。【選択図】図３
2008199535.tif 000002
【特許請求の範囲】
【請求項１】
読取前の原稿が載置される原稿供給部と、原稿をその表裏を反転させながら順方向及び逆方向に搬送可能な第１反転搬送路と、第１反転搬送路を搬送される原稿の画像を読み取る読取部と、第１反転搬送路を出た原稿をその表裏を反転させながら搬送して再度第１反転搬送路へ戻す第２反転搬送路と、読取後の原稿が載置される原稿排出部と、を備え、
原稿供給部から供給された原稿を第１反転搬送路へ導入し、第１反転搬送路を順方向に搬送する際に読取部で該原稿の一方の面を読み取り、第１反転搬送路を順方向に出た原稿を第２反転搬送路で搬送して第１反転搬送路へ戻し、第１反転搬送路を逆方向に搬送する際に読取部で該原稿の他方の面を読み取り、第１反転搬送路を逆方向に出た原稿を原稿排出部へ排出するように構成したことを特徴とする画像読取装置。
【請求項２】
請求項１に記載の画像読取装置において、
前記第２反転搬送路は、搬送方向の長さ寸法が所定寸法以上の原稿を搬送する通常搬送路と、搬送方向の長さ寸法が所定寸法以下の原稿を搬送する前記通常搬送路よりもその経路長が短いバイパス搬送路とを備えることを特徴とする画像読取装置。
【請求項３】
請求項１又は２に記載の画像読取装置において、
前記第１反転搬送路は、回転方向を順方向と逆方向に切り換え可能なフィードローラを備え、原稿供給部から第２反転搬送路へ原稿を搬送する順方向の搬送と、第２反転搬送路から原稿排出部へ原稿を搬送する逆方向の搬送を切り換えて行えるように構成したことを特徴とする画像読取装置。
【請求項４】
請求項３に記載の画像読取装置において、
前記第１反転搬送路が備えるフィードローラは、原稿が第２反転搬送路を搬送されている間にその回転方向を切り換えるように構成したことを特徴とする画像読取装置。
【発明の詳細な説明】
【技術分野】
【０００１】
本発明は、原稿を搬送する原稿搬送路とこの原稿搬送路を搬送される原稿の画像を読み取る読取部とを備える画像読取装置に関する。
【背景技術】
【０００２】
ファクシミリやコピー機などの画像形成装置には、原稿を搬送する原稿搬送路とこの原稿搬送路を搬送される原稿の画像を読み取る読取部とを備える画像読取装置を設けたものがある。このような画像読取装置には、一度の搬送で原稿の両面を読み取るものがある。この原稿の両面の画像を読み取る画像読取装置として、特許文献１に示すように、原稿を原稿搬送路で読取部へ搬送してその一方の面を読み取り、その後、原稿を一旦排出トレイに搬出した後、原稿の後端部を挟持する排出ローラを逆転させて原稿をスイッチバックさせ、戻し搬送路で原稿の表裏を反転させながら再度読取部へ搬送して、原稿の他方の面を読み取るように構成したものがある。また原稿の両面の画像を読み取る画像読取装置の他の例として、特許文献２に示すように、原稿搬送路の二箇所に読取部を設け、各読取部で順に原稿の一方の面と他方の面を読み取るように構成したものがある。
【特許文献１】特開平８−１３３５５１号公報
【特許文献２】特開２００３−３２４５７９号公報
【発明の開示】
【発明が解決しようとする課題】
【０００３】
ところで、上記のような原稿の両面の画像を読み取る画像読取装置では、搬送される原稿をスイッチバックさせるスイッチバック機構が必要であったり、読取部を二箇所に設けなければならなかったりするなど、いずれもその機構が複雑であるという問題があった。したがって、画像読取装置の低コスト化やコンパクト化を図るためには、上記の機構よりもさらに簡単な機構によって原稿の両面を読み取ることができる画像読取装置を実現する必要がある。
【０００４】
本発明は上述の点に鑑みてなされたものでありその目的は、より簡単な機構で、原稿の両面を読み取ることができる画像読取装置を提供することにある。
【課題を解決するための手段】
【０００５】
上記課題を解決するため本願の請求項１に記載の発明は、読取前の原稿が載置される原稿供給部と、原稿をその表裏を反転させながら順方向及び逆方向に搬送可能な第１反転搬送路と、第１反転搬送路を搬送される原稿の画像を読み取る読取部と、第１反転搬送路を出た原稿をその表裏を反転させながら搬送して再度第１反転搬送路へ戻す第２反転搬送路と、読取後の原稿が載置される原稿排出部と、を備え、原稿供給部から供給された原稿を第１反転搬送路へ導入し、第１反転搬送路を順方向に搬送する際に読取部で該原稿の一方の面を読み取り、第１反転搬送路を順方向に出た原稿を第２反転搬送路で搬送して第１反転搬送路へ戻し、第１反転搬送路を逆方向に搬送する際に読取部で該原稿の他方の面を読み取り、第１反転搬送路を逆方向に出た原稿を原稿排出部へ排出するように構成したことを特徴とする。
【０００６】
本願の請求項２に記載の発明は、請求項１に記載の画像読取装置において、前記第２反転搬送路は、搬送方向の長さ寸法が所定寸法以上の原稿を搬送する通常搬送路と、搬送方向の長さ寸法が所定寸法以下の原稿を搬送する前記通常搬送路よりもその経路長が短いバイパス搬送路とを備えることを特徴とする。
【０００７】
本願の請求項３に記載の発明は、請求項１又は２に記載の画像読取装置において、前記第１反転搬送路は、回転方向を順方向と逆方向に切り換え可能なフィードローラを備え、原稿供給部から第２反転搬送路へ原稿を搬送する順方向の搬送と、第２反転搬送路から原稿排出部へ原稿を搬送する逆方向の搬送を切り換えて行えるように構成したことを特徴とする。
【０００８】
本願の請求項４に記載の発明は、請求項３に記載の画像読取装置において、前記第１反転搬送路が備えるフィードローラは、原稿が第２反転搬送路を搬送されている間にその回転方向を切り換えるように構成したことを特徴とする。
【発明の効果】
【０００９】
本願の請求項１に記載の発明によれば、原稿供給部から供給された原稿を第１反転搬送路へ導入し、第１反転搬送路を順方向に搬送する際に読取部で該原稿の一方の面を読み取り、第１反転搬送路を順方向に出た原稿を第２反転搬送路で搬送して第１反転搬送路へ戻し、第１反転搬送路を逆方向に搬送する際に読取部で該原稿の他方の面を読み取り、第１反転搬送路を逆方向に出た原稿を原稿排出部へ排出するので、従来の画像読取装置のようにスイッチバック機構を設けたり複数の読取部を設けたりする場合と比較して、簡単な機構で、効率良く原稿の両面を読み取ることができる画像読取装置となる。さらに、原稿供給部で一方の面が上側を向いていた原稿が、原稿排出部で当該一方の面が下側を向くように排出されるため、複数枚の原稿を原稿供給部に載置して順に搬送して読み取った場合でも、原稿排出部に排出された際の原稿のページ順が元の状態に維持される。これにより、従来必要であった原稿の表裏を反転させるためだけの搬送経路が不要となるので、より短時間で原稿の両面を読み取れるようになり、読み取りの処理効率を向上させることができる画像読取装置となる。
【００１０】
本願の請求項２に記載の発明によれば、第２反転搬送路は、搬送方向の寸法が所定寸法以上の原稿を搬送する通常搬送路と、搬送方向の寸法が所定寸法以下の原稿を搬送する通常搬送路よりもその経路長が短いバイパス搬送路とを備えるので、用紙をその搬送方向の寸法に合った搬送路で搬送できる。これにより、第２反転搬送路を搬送されて第１反転搬送路へ戻される原稿の先端部と後端部が第２反転搬送路の入口で交差して咬み合うおそれがなくなるので、原稿の搬送がスムーズに行えるようになる。また、搬送方向の寸法が所定寸法以下の原稿を、バイパス搬送路を利用して短時間で搬送することが可能となるので、その分、原稿の読み取りの処理効率を向上させることができる。
【００１１】
本願の請求項３に記載の発明によれば、第１反転搬送路は、回転方向を順方向と逆方向に切り換え可能なフィードローラを備え、原稿供給部から第２反転搬送路へ原稿を搬送する順方向の搬送と、第２反転搬送路から原稿排出部へ原稿を搬送する逆方向の搬送を切り換えて行えるように構成したので、単一の第１反転搬送路を有効に活用することができ、原稿の両面を読み取ることができる画像読取装置を、簡単な構成でコンパクトに実現できる。
【００１２】
本願の請求項４に記載の発明によれば、第１反転搬送路が備えるフィードローラは、原稿が第２反転搬送路を搬送されている間にその回転方向を切り換えるように構成したので、読取部での原稿の読み取りの際に、フィードローラの回転方向の切り換えの影響で読取部が振動したり電気的ノイズが発生したりすることを防止でき、読み取った原稿の画質を低下させずに済むようになる。
【発明を実施するための最良の形態】
【００１３】
以下、本発明の実施形態を図面に基づいて詳細に説明する。図１は、本発明の一実施形態に係る画像読取装置を備えた画像形成装置を示す斜視図である。まず、同図を用いて画像形成装置の概略全体構成について説明する。本発明を適用する画像形成装置としては、画像読取装置を備えた画像形成装置であれば、コピー機やファクシミリ装置やプリンタあるいはこれらの機能を兼ね備えたいわゆる複合機のうちのいずれであっても良い。同図に示す画像形成装置１は、下段側に配置された記録部２と、上段側に配置された読取部３とを備えている。記録部２には、記録装置４と給紙カセット５及び記録紙排出トレイ６が備えられ、給紙カセット５内に収容されている記録用紙を記録装置４へ給紙し、記録装置４で記録用紙への記録を行った後、記録用紙を記録紙排出トレイ６へ排出するように構成されている。
【００１４】
一方、読取部３は、原稿の画像を走査して読み取る読取装置１０と、読取装置１０の前面側に取り付けられた操作パネル７と、読取装置１０の上部にその一辺が図示しないヒンジ機構で開閉可能に取り付けられた原稿押えカバー８とを備えている。原稿押えカバー８の一端には、自動原稿搬送装置（以下、「ＡＤＦ」と記す）２０が設置されている。これら読取装置１０とＡＤＦ２０によって、本発明の実施形態にかかる画像読取装置５０が構成されている。
【００１５】
図２は、画像読取装置５０の構成を示す側断面図である。まず、画像読取装置５０が備える読取装置１０の構成を説明する。読取装置１０は、略矩形状の筐体１０ａを備え、筐体１０ａの上面にコンタクトガラス１６とプラテンガラス１７が設置されている。筐体１０ａ内のコンタクトガラス１６とプラテンガラス１７の下側には、走査方向に沿って移動可能に担持された読取ユニット１１が設置されている。読取ユニット１１は、コンタクトガラス１６又はプラテンガラス１７上の原稿へ光を照射する光源１２と、原稿からの反射光Ｒを所定の方向へ導くための反射ミラー１３と、反射光Ｒを収束する集光レンズ１４と、収束された反射光Ｒを電気信号に変換して出力する電荷結合素子（Charge Coupled Device，以下「ＣＣＤ」という）１５を備えるいわゆる縮小光学系のＣＣＤ読取ユニットで、原稿からの反射光ＲをＣＣＤ１５へ導いて結像するようになっている。また詳細な説明及び図示は省略するが、電気信号に変換された画像信号は、アナログ／デジタル変換、シェーディング処理等が施された後、記録部２で記録用紙に記録され、又はＣＯＤＥＣ等の送信部により電送される。なお、上記の読取装置１０で、フラットベッドスキャナとして原稿画像の読み取りを行う場合は、原稿押えカバー８を閉じてプラテンガラス１７上に載置した原稿を固定する。その状態で、筐体１１ａ内で読取ユニット１１を走査して原稿画像の読み取りを行なう。
【００１６】
次に、ＡＤＦ２０の構成を説明する。図３は、ＡＤＦ２０の内部の詳細構成を示す部分拡大側断面図である。ＡＤＦ２０は、原稿を搬送する原稿搬送路２２と、原稿搬送路２２の入口部２２ａの手前に設置された読取前の原稿を積載する原稿供給トレイ（原稿供給部）２１と、原稿搬送路２２の出口部２２ｂの先方に設置された読取後の原稿を積載する原稿排出トレイ（原稿排出部）２３とを備えている。なお以下の説明では、原稿搬送路２２における入口部２２ａに近い側を上流側といい、出口部２２ｂに近い側を下流側という。
【００１７】
原稿搬送路２２は、入口部２２ａから出て原稿供給トレイ２１から離れる奥側へ向かう導入搬送路３０と、導入搬送路３０の下流端から横向き略半円弧状に転回する第１反転搬送路３２と、第１反転搬送路３２の下流端３２ｂから横向きのループ状に転回して下流端３２ｂに再度合流する第２反転搬送路３５と、第１反転搬送路３２の上流端３２ａから出口部２２ｂに向かって略水平方向に延びる導出搬送路４０と、第２反転搬送路３５と導出搬送路４０を連通する連絡搬送路４５とを備えて構成されている。
【００１８】
原稿供給トレイ２１は、入口部２２ａに向かって低くなるように若干傾斜して取り付けられている。入口部２２ａには、原稿供給トレイ２１上の原稿を導入搬送路３０へ繰り込むピックアップローラ２４が設置されている。ピックアップローラ２４は、原稿供給トレイ２１の先端の上方に配置され、上下に揺動する揺動アーム２９の揺動端に回転自在に軸支されている。ピックアップローラ２４の下流側には、原稿搬送路２２の上方で回転自在に設置されたセパレートローラ２５と、セパレートローラ２５の下面に圧接されるリタードローラ２６が設置されている。なお、ピックアップローラ２４やセパレートローラ２５は、図示は省略するが、回転方向に所定の負荷が掛かるとその回転が空転するワンウェイクラッチ機構を備えている。また、導入搬送路３０のセパレートローラ２５とリタードローラ２６より下流側には、搬送ローラ２７が設置されている。
【００１９】
第１反転搬送路３２は、その上流端３２ａから下流端３２ｂまでフィードローラ３１の外周面３１ａに沿って横向き半円弧状に形成されている。そして、フィードローラ３１の外周面３１ａの下端部が、コンタクトガラス１６上の読取部Ｐ１に面している。また、第１反転搬送路３２の上流端３２ａには、導入搬送路３０と導出搬送路４０の経路が分岐する第１分岐部３３が設けられている。第１分岐部３３には、第１分岐部３３を逆方向（下流側から上流側）に搬送される原稿を導出搬送路４０へ導く案内爪３３ａが設置されている。一方、フィードローラ３１は、図示しないモーター等の駆動手段の駆動力で回転すると共に、図示しないギヤボックス等の回転方向切換手段によって、その回転方向を順方向と逆方向とに切り換えられるように構成されている。
【００２０】
第１反転搬送路３２の下流端３２ｂには、第２反転搬送路３５の入口側経路３５ａと出口側経路３５ｂが分岐する第２分岐部３４が設けられている。第２分岐部３４には、第２分岐部３４を順方向（上流側から下流側）に搬送される原稿を入口側経路３５ａへ導く案内爪３４ａが設置されている。第２反転搬送路３５は、第２分岐部３４から原稿排出トレイ２３の方向に向かいながら斜め上方に上昇する入口側経路３５ａを通り、下記するフィードローラ３６の外周面３６ａ又はフィードローラ３７の外周面３７ａに沿って横向き半円弧状に転回し、そこから略水平に第１反転搬送路３２の方へ向かう出口側経路３５ｂを通って、第２分岐部３４に合流している。
【００２１】
また第２反転搬送路３５は、第１反転搬送路３２から遠い側に配置された通常搬送路３９と、第１反転搬送路３２に近い側に配置されたバイパス搬送路３８の二本の搬送路を備えている。通常搬送路３９は、搬送方向の長さが所定以上の長い寸法の原稿を搬送するための搬送路で、バイパス搬送路３８は、搬送方向の長さが所定以下の短い寸法の原稿を搬送するための搬送路である。通常搬送路３９は、第１反転搬送路３２から遠い側に配置したフィードローラ３７の外周面３７ａに沿って横向き半円弧状に形成され、バイパス搬送路３８は、第１反転搬送路３２に近い側に配置したフィードローラ３６の外周面３６ａに沿って横向き半円弧状に形成されている。そして、入口側経路３５ａにおけるバイパス搬送路３８と通常搬送路３９の分岐点に、第３分岐部４１が設けられている。この第３分岐部４１には、搬送される原稿をバイパス搬送路３８と通常搬送路３９とに振り分ける変向爪４１ａが設置されている。第３分岐部４１は、画像形成装置１に予め入力された読取原稿の寸法情報に対応して、原稿の搬送経路をバイパス搬送路３８と通常搬送路３９とで切り換えるようになっている。なお、原稿の搬送路の選択の設定は、バイパス搬送路３８で搬送しても先端部と後端部が第２分岐部３４で交差して咬み合うおそれがない短い寸法の原稿であれば、バイパス搬送路３８で搬送し、それ以上の長い寸法の原稿であれば、通常搬送路３９で搬送するように設定すれば良い。
【００２２】
さらに、入口側経路３５ａの第３分岐部４１の手前側には、入口側経路３５ａと導出搬送路４０を連絡する連絡搬送路４５が分岐する第４分岐部４２が設けられている。第４分岐部４２にも、搬送される原稿をいずれかの経路に振り分ける変向爪４２ａが設置されている。第４分岐部４２は、画像形成装置１に予め入力された片面読取モード又は両面読取モードの選択に応じて、原稿の搬送経路を第２反転搬送路３５と連絡搬送路４５とで切り換えるようになっている。
【００２３】
導出搬送路４０は、第１分岐部３３から原稿搬送路２２の出口部２２ｂに連通している。導出搬送路４０の途中には、搬送ローラ４３が設置されている。また導出搬送路４０の出口部２２ｂの近傍には、導出搬送路４０を搬送された原稿を出口部２２ｂから原稿排出トレイ２３へ排出する排出ローラ２８が設置されている。
【００２４】
ここで、上記構成の画像読取装置５０における原稿の搬送手順、及び読取部Ｐ１での原稿の読取動作について説明する。ここでは、読取前の原稿の束が、原稿供給トレイ２１上でその表面を上に向けてページ順に載置されている場合を説明する。またここでは、原稿の表面と裏面の両面の読み取りを行う場合であって、且つ、読み取る原稿の搬送方向の長さ寸法が上記の所定寸法以上である場合を説明する。まず、原稿供給トレイ２１上に原稿が載置され、図１に示す操作パネル７から原稿読取の指示が入力されると、ピックアップローラ２４とセパレートローラ２５が回転し、揺動アーム２９が下方に揺動する。これにより、ピックアップローラ２４が原稿供給トレイ２１上の原稿の先端部の上面に圧接され、ピックアップローラ２４の回転で、原稿がセパレートローラ２５とリタードローラ２６の間に繰り込まれる。
【００２５】
セパレートローラ２５とリタードローラ２６で一枚ずつ分離されて導入搬送路３０へ繰り込まれた原稿は、搬送ローラ２７で搬送されて、第１反転搬送路３２へ送られる。第１反転搬送路３２を順方向に（上流端３２ａから下流端３２ｂに向かって）搬送される原稿は、フィードローラ３１の外周面３１ａに沿って転回しながら搬送されるため、その表裏が反転する。フィードローラ３１の下端部に達した原稿は、その表面が下側を向いた状態で読取部Ｐ１を通過する。その際、読取部Ｐ１で原稿の表面が読み取られる。
【００２６】
読取部Ｐ１を通過した原稿は、第２分岐部３４から第２反転搬送路３５の入口側経路３５ａへ導入される。入口側経路３５ａを搬送された原稿は、第４分岐部４２から第２反転搬送路３５の方に導入されてさらに進み、第３分岐部４１から通常搬送路３９へ導入される。通常搬送路３９を通過する原稿は、フィードローラ３７の外周面３７ａに沿って転回しながら搬送されるため、その表裏が反転する。通常搬送路３９を出た原稿は、出口側経路３５ｂを通って第２分岐部３４に導入される。ここで、第２反転搬送路３５を搬送された原稿の先端部が第１反転搬送路３２へ戻る前に、第１反転搬送路３２のフィードローラ３１の回転方向が順方向から逆方向に切り換えられる。そして、第２分岐部３４から第１反転搬送路３２に導入された原稿は、第１反転搬送路３２を逆方向に（下流端３２ｂから上流端３２ａに向かって）搬送される。このとき、原稿はその表面が上側を向いた状態なので、読取部Ｐ１を通過する際に読取部Ｐ１で原稿の裏面が読み取られる。そして、第１反転搬送路３２を逆方向に搬送される原稿は、フィードローラ３１の外周面３１ａに沿って転回しながら搬送されるため、その表裏が反転する。第１反転搬送路３２の上流端３２ａに達した原稿は、第１分岐部３３で導出搬送路４０へ導かれる。導出搬送路４０を通過した原稿は、排出ローラ２８で出口部２２ｂから原稿排出トレイ２３上に排出される。原稿排出トレイ２３上に排出された原稿は、その表面が下側を向いた状態になっている。
【００２７】
また、上記の搬送及び読取手順において、読み取る原稿の搬送方向の長さ寸法が所定以下の寸法である場合は、予め第３分岐部４１の変向爪４１ａの設定をバイパス搬送路３８へ原稿を導くように変えておく。これにより、第２反転搬送路３５を搬送される原稿が、第３分岐部４１からバイパス搬送路３８へ導入されるようになる。また、原稿の片面のみの読み取りを行う場合は、予め第２反転搬送路３５の第４分岐部４２の変向爪４２ａの設定を連絡搬送路４５へ原稿を導くように変えておく。これにより、第２反転搬送路３５の入口側経路３５ａを搬送される原稿が、第４分岐部４２から連絡搬送路４５に導入され、そのまま導出搬送路４０に合流して原稿排出トレイ２３上へ排出される。なおこの場合は、原稿排出トレイ２３上に排出された原稿は、その表面が上側を向いた状態になっている。
【００２８】
以上説明したように、本実施形態の画像読取装置５０では、原稿供給トレイ２１から供給された原稿を第１反転搬送路３２へ導入し、第１反転搬送路３２を順方向に搬送する際に読取部Ｐ１で該原稿の表面を読み取り、第１反転搬送路３２を順方向に出た原稿を第２反転搬送路３５で搬送して第１反転搬送路３２へ戻し、第１反転搬送路３２を逆方向に搬送する際に読取部Ｐ１で該原稿の裏面を読み取り、第１反転搬送路３２を逆方向に出た原稿を原稿排出トレイ２３へ排出するので、従来の画像読取装置のように、スイッチバック機構を設けたり、複数の読取部を設けたりする場合と比較して、簡単な機構で、効率良く原稿の両面を読み取ることができる画像読取装置５０となる。
【００２９】
また、上記の画像読取装置５０では、原稿供給トレイ２１上で表面が上側を向いていた原稿が、第１反転搬送路３２を順方向に通過する際にその表裏が反転され、第２反転搬送路３５を通過する際に再度その表裏が反転され、第１反転搬送路３２を逆方向に通過する際に再々度その表裏が反転されるので、原稿排出トレイ２３に排出された原稿はその表面が下側を向いた状態になる。これにより、複数枚の原稿を原稿供給トレイ２１上にページ順に載置して、この原稿を上段から順に搬送して読み取った場合でも、原稿排出トレイ２３に排出される原稿の束は、そのページ順が元の状態に維持される。したがって、原稿搬送路２２を上記のように構成したことで、従来必要であった原稿の表裏を反転させるためだけの搬送経路が不要になるので、より短時間で原稿の両面を読み取れるようになり、原稿の読み取りの効率を向上させることができる。
【００３０】
また、上記実施形態の画像読取装置５０では、第２反転搬送路３５は、搬送方向の寸法が所定寸法以上の原稿を搬送する通常搬送路３９と、搬送方向の寸法が所定寸法以下の原稿を搬送するバイパス搬送路３８の二本の搬送路を備えるので、原稿をその搬送方向の寸法に合った搬送路で搬送することができる。これにより、第２反転搬送路３５を搬送される原稿の先端部と後端部が、第２反転搬送路３５の入口である第２分岐部３４で交差して咬み合うおそれがなくなるので、原稿の搬送がスムーズに行えるようになる。また、搬送方向の寸法が所定寸法以下の原稿は、バイパス搬送路３８を利用して短時間で搬送することが可能となるので、原稿の読み取りの効率を向上させることができる。
【００３１】
また、上記実施形態の画像読取装置５０では、第１反転搬送路３２は、回転方向を順方向と逆方向に切り換え可能なフィードローラ３１を備え、原稿供給トレイ２１から第２反転搬送路３５へ原稿を搬送する順方向の搬送と、第２反転搬送路３５から原稿排出トレイ２３へ原稿を搬送する逆方向の搬送を切り換えて行えるように構成したので、単一の第１反転搬送路３２を有効に活用することができ、原稿の両面を読み取ることができる画像読取装置５０を、簡単な構成でコンパクトに実現できる。さらに、第１反転搬送路３２に設置したフィードローラ３１は、原稿が第２反転搬送路３５を搬送されている間にその回転方向を切り換えるように構成したので、読取部Ｐ１での原稿の読み取りの際に、フィードローラ３１の回転方向の切り換えの影響で読取部Ｐ１が振動したり電気的ノイズが発生したりすることを防止でき、読み取った原稿の画質を低下させずに済むようになる。
【００３２】
以上本発明の実施形態を説明したが、本発明は上記実施形態に限定されるものではなく、特許請求の範囲、及び明細書、図面に記載された技術的思想の範囲内において種々の変形が可能である。なお、直接明細書及び図面に記載のない何れの形状・構造・材質であっても、本願発明の作用・効果を奏する以上、本願発明の技術的思想の範囲内である。例えば、上記実施形態に示す画像読取装置５０の第１反転搬送路３２や第２反転搬送路３５の具体的な形状等はいずれも一例であり、本発明の画像読取装置の第１反転搬送路は、原稿をその表裏を反転させながら順方向及び逆方向に搬送可能なものであれば上記以外の構成であっても良く、また、第２反転搬送路は、第１反転搬送路を出た原稿をその表裏を反転させながら搬送して第１反転搬送路へ戻すものであれば上記以外の構成であってもよい。
【００３３】
また、上記の画像読取装置５０では、原稿の片面読み取りを行う場合は、第２反転搬送路３５の入口側経路３５ａを搬送される原稿を、第４分岐部４２から連絡搬送路４５に導入し、そのまま導出搬送路４０に合流させて原稿排出トレイ２３上へ排出するように構成したが、この搬送経路では、原稿排出トレイ２３上に排出された原稿は、その表面が上側を向いた状態になっているため、原稿のページ順が読取前の状態にならない。そのため、読取後の原稿のページ順を読取前の状態にするには、第１反転搬送路３２を逆方向に搬送する際に読取部Ｐ１で原稿の読み取りを行わないようにした上で、両面読み取りを行う場合と同様の経路で原稿を搬送すればよい。
【図面の簡単な説明】
【００３４】
【図１】本発明の一実施形態に係る画像読取装置を備えた画像形成装置の全体構成を示す斜視図である。
【図２】画像読取装置の構成を示す側断面図である。
【図３】画像読取装置が備えるＡＤＦの内部の詳細構成を示す部分拡大側断面図である。
【符号の説明】
【００３５】
１      画像形成装置
２      記録部
３      読取部
８      原稿押えカバー
１０    読取装置
１１    読取ユニット
２０    自動原稿搬送装置（ＡＤＦ）
２１    原稿供給トレイ（原稿供給部）
２２    原稿搬送路
２２ａ  入口部
２２ｂ  出口部
２３    原稿排出トレイ（原稿排出部）
３０    導入搬送路
３１    フィードローラ
３２    第１反転搬送路
３２ａ  上流端
３２ｂ  下流端
３３    第１分岐部
３４    第２分岐部
３５    第２反転搬送路
３５ａ  入口側経路
３５ｂ  出口側経路
３６    フィードローラ
３７    フィードローラ
３８    バイパス搬送路
３９    通常搬送路
４０    導出搬送路
４１    第３分岐部
４２    第４分岐部
４５    連絡搬送路
５０    画像読取装置
Ｐ１    読取部
【図１】
2008199535.tif 000003
【図２】
2008199535.tif 000004
【図３】
2008199535.tif 000005